(57)【要約】【課題】  再生中のディスクのオーディオ情報の表示エリアを大きくとることができ、しかも、斬新なデザインの表示装置及びディスク再生装置を得る。【解決手段】  ディスクＤの記録面を反射面として利用して文字表示を行う表示装置及びディスク再生装置であって、ディスクの再生状態では、当該ディスクの一部が再生装置からはみ出して露出するように配置させ、はみ出して露出するディスク記録面となる反射面をスクリーンとして光源１０からの光を投影し、再生中のディスクＤのオーディオ情報を文字表示するようにしたことを特徴とする。【選択図】  図３
2005166162.tif 000002
【特許請求の範囲】
【請求項１】
ディスクの記録面を反射面として利用して文字表示を行う表示装置であって、
上記ディスクの再生状態では、当該ディスクが再生装置の外から見えるように配置させ、外から見える上記ディスク部分の反射面に光源からの光を反射させ文字表示を行うようにしたことを特徴とする表示装置。
【請求項２】
請求項１記載の表示装置において、
外から見える上記ディスク部分の反射面をスクリーンとして上記光源からの光を投影し文字表示するようにしたことを特徴とする表示装置。
【請求項３】
請求項１記載の表示装置において、
外から見える上記ディスクを透過型液晶体からなるカバーで覆い、上記光源からの光をバックライトとして上記ディスクの反射面を反射させ、上記透過型液晶体からなるカバーを液晶表示させて文字表示するようにしたことを特徴とする表示装置。
【請求項４】
ディスクの記録面を反射面として利用して文字表示を行うディスク再生装置であって、
上記ディスクの再生状態では、当該ディスクの一部が再生装置の外から見えるように配置させ、外から見える上記ディスク部分の反射面に光源からの光を反射させ文字表示を行うようにしたことを特徴とするディスク再生装置。
【請求項５】
請求項４記載のディスク再生装置において、
ディスク再生装置がカーオーディオ機器であることを特徴とするディスク再生装置。
【発明の詳細な説明】
【技術分野】
【０００１】
本発明は、例えば自動車に搭載される車載用のカーオーディオ機器等の表示装置及びディスク再生装置に関し、オーディオ機器等にあって例えば、ＣＤやＤＶＤ等の（光）ディスクの再生時、ディスクの記録面である反射面をスクリーンとして文字表示できるようした表示装置及びディスク再生装置を得ることにある。
【背景技術】
【０００２】
従来、上述したような車載用のカーオーディオ機器等のディスク再生装置における表示装置は、液晶等の専用の表示デバイスを使用し、表示画面にディスク再生中の曲目やディスクのトラックナンバー、イカコライザーカーブ等の情報が液晶表示されるようになっている。また、表示装置にはディスク再生中の情報の他、ＡＭ放送やＦＭ放送等の受信情報を液晶表示することもできる。
【特許文献１】特開平０８−１２４３６８号公報
【発明の開示】
【発明が解決しようとする課題】
【０００３】
しかし、上述したようなカーオーディオ機器等の液晶画面はそれほど大きなものではなかった。液晶デバイスを大型化することは可能であるが高価であることや、車載用のカーオーディオ機器の場合、液晶デバイスを配置するスペースの制約等から困難であった。
【課題を解決するための手段】
【０００４】
上記の課題を解決し、本発明の目的を達成するため、本発明による請求項１記載の表示装置は、ディスクの記録面を反射面として利用して文字表示を行う表示装置であって、ディスクの再生状態では、当該ディスクの一部が再生装置の外から見えるように配置させ、外から見えるディスク部分の反射面に光源からの光を反射させ文字表示を行うようにしたことを特徴とする。
【０００５】
また、本発明による請求項２記載の表示装置は、外から見えるディスク部分の反射面をスクリーンとして光源からの光を投影し文字表示するようにしたことを特徴とする。
【０００６】
また、本発明による請求項３記載の表示装置は、外から見えるディスクを透過型液晶体からなるカバーで覆い、光源からの光をバックライトとしてディスクの反射面を反射させ、透過型液晶体からなるカバーを液晶表示させて文字表示するようにしたことを特徴とする。
【０００７】
また、本発明による請求項４記載のディスク再生装置は、ディスクの記録面を反射面として利用して文字表示を行うディスク再生装置であって、ディスクの再生状態では、当該ディスクの一部が再生装置の外から見えるように配置させ、外から見えるディスク部分の反射面に光源からの光を反射させ文字表示を行うようにしたことを特徴とする。
【発明の効果】
【０００８】
本発明の表示装置及びディスク再生装置によれば、ディスクの記録面を反射面として利用して文字表示するようにしたので、表示エリアを大きくすることができ、また、斬新なデザインの表示装置であり、ディスク再生装置となる。
【発明を実施するための最良の形態】
【０００９】
以下、本発明による表示装置及びディスク再生装置の最良の形態を、ＣＤやＤＶＤ等のディスクであるカーオーディオ機器のディスク再生装置を例にとって図面を参照して説明する。
【００１０】
〔第１の実施の形態〕
図１はディスク再生中のディスク再生装置の全体の外観斜視図、図２はディスクチャッキング前の外観斜視図、図３はディスクチャッキング直後の外観斜視図、図４は図１のＡ−Ａ線断面図である。
【００１１】
ディスク再生装置の装置筐体を符号１で示す。この装置筐体１の前面には開口部２を有する。開口部２からはアーム３が水平状態に延出されていて、アーム３の先端部にディスクトレー４が支持され、このディスクトレー４の中心にディスクのセンター孔が位置決めされる支持ボス５ａを有する受けチャッキングプレート５が形成されている。受けチャッキングプレート５は回転可能である。
【００１２】
アーム３の基部には図示しないヒンジ機構を介してチャッキングアーム６が図２に示した斜めに引き上げられた状態から図３に示した水平向きに回動可能に支持されている。チャッキングアーム６には上述したディスクトレー４と合体してディスクＤを保護するための透明部材からなるディスクカバー７が取り付けられている。
【００１３】
チャッキングアーム６の先端部には駆動側チャッキングプレート８があり、駆動側チャッキングプレート８はディスクカバー７内に配置したモータにより回転可能である。また、ディスクカバー７内にはディスクＤの径方向に移動し、ディスクＤに記録されているオーディオ情報を読み取る光学ピックアップ９がある。
【００１４】
ここで、装置筐体１の開口部２に近い上壁裏面には例えば、ＬＥＤやレーザー光等からなる光源１０が配置されている。この光源１０は再生中のディスクＤに関するオーディオ情報を文字によりディスク面上に投影して表示することができるものである。
【００１５】
このように構成したディスク再生装置は、図２に示したようにディスクカバー７と共に駆動側チャッキングプレート８が引き上げられた状態にしてディスクトレー４上に記録面を上向きにした状態でディスクＤを装填し、この後、駆動側チャッキングプレート８を水平向きに回動することで、図３に示すようにディスクＤがディスクカバー７で保護されると共に、駆動側チャッキングプレート８でチャッキングされる。
【００１６】
ディスクＤのチャッキングが完了すると、アーム３と共にディスクＤが装置筐体１側に引き込まれるが、ディスクＤは装置筐体１の外から見える位置、本例ではほぼ半分ぐらいだけ引き込まれた位置、つまり、ディスクＤが装置筐体１からほぼ半分露出した状態で再生動作状態となる。
【００１７】
すなわち、ディスクＤの再生動作状態において、光源１０からのオーディオ情報は、装置筐体１から露出しているディスクカバー７を斜めに透過し、ディスクＤ上に投影される。つまり、ディスクＤの記録面が反射面となり、この反射面がスクリーンとなってオーディオ情報の文字が投影されることになる。
【００１８】
尚、ディスクＤへの文字によるオーディオ情報は、ディスクの再生動作中以外、ディスク停止時にも表示が可能である。また、ディスクの非再生状態では、アーム３と共にディスクトレー４が装置筐体１内に完全に引き込まれ、開口部２が図示しない蓋体により閉じられるようになる。
【００１９】
このように第１の実施の形態では、再生中のディスクＤのオーディオ情報の表示エリアを大きくとることができ、しかも、斬新なデザインのディスク再生装置を得ることができる。
【００２０】
また、光源１０としてＬＥＤやレーザー光等を種々の発光色のものを使用することにより、色彩色に富んだ液晶表示が可能となる。
【００２１】
〔第２の実施の形態〕
図５は第１の実施の形態における透明部材からなるディスクカバー７に透過型液晶を組み込んだディスク再生中のディスク再生装置の外観斜視図、図６は図５のＢ−Ｂ線におけるディスク再生装置の概略図である。
【００２２】
第２の実施の形態では、装置筐体１から露出するディスクカバー７の裏面部分に例えば、フィルム状の透過型液晶体１１が貼り付けられている。尚、装置筐体１から露出するディスクカバー自体が透過型液晶体から構成されていることであってもよい。この透過型液晶体１１は再生中のディスクＤに関するオーディオ情報が文字等により液晶表示される。
【００２３】
そして、ディスクカバー７の裏面で光学ピックアップとは干渉しない位置に例えば、ＬＥＤや蛍光管等の光源１２が配置されている。この光源１２からの光が、ディスクＤの記録面を反射面として反射し透過型液晶体１１を照射するためのバックライトとなる。
【００２４】
上述のように構成したディスク再生装置によれば、図１に示すように装置筐体１からディスクＤのほぼ半分部分が露出して再生している状態において、ディスクカバー７の透過型液晶体１１に液晶表示される再生中のディスクＤに関するオーディオ情報の文字等が、光源１２からディスク記録面を反射面として反射する光により照明することができる。
【００２５】
このように第２の実施の形態では、装置筐体１から露出するディスクカバー７の透過型液晶が、ディスクＤを反射する光源１２からの光により照明され、再生中のディスクのオーディオ情報を液晶表示することができるので、第１の実施の形態と同様に表示エリアを大きくとることができ、しかも、斬新なデザインのディスク再生装置となる。
【００２６】
また、第２の実施の形態の場合も、光源１２としてＬＥＤや蛍光管等を種々の発光色のものを使用することにより、色彩色に富んだ液晶表示が可能となる。
【００２７】
本発明は、上述しかつ図面に示した実施の形態に限定されるものでなく、その要旨を逸脱しない範囲内で種々の変形実施が可能である。
【００２８】
本例の２つの実施の形態ではディスクの一部が装置筐体１の外から見える方法として、ディスクの一部が装置筐体１からはみ出して露出させた場合について説明したが、装置筐体１内にディスクが完全に装填され、ディスクの一部が装置筐体１の外から見えるようにすることであってもよい。
【００２９】
本発明によるディスク再生装置は、カーオーディオ機器を例にとって説明したが、カーオーディオ機器以外のディスク再生装置にも広く適用可能である。
【図面の簡単な説明】
【００３０】
【図１】本発明におけるディスク再生装置の第１の実施の形態であるカーオーディオ機器で、ディスクがトレーに装填前のカーオーディオ機器の外観斜視図である。
【図２】同じくディスクが装填された直後のカーオーディオ機器の外観斜視図である。
【図３】同じくディスク再生中のカーオーディオ機器の外観斜視図である。
【図４】同じく図３のＡ−Ａ線断線におけるカーオーディオ機器の概要図である。
【図５】本発明におけるディスク再生装置の第１の実施の形態であるカーオーディオ機器で、ディスク再生中のカーオーディオ機器の外観斜視図である。
【図６】同じく図５のＢ−Ｂ線断線におけるカーオーディオ機器の概要図である。
【符号の説明】
【００３１】
１…装置筐体、２…開口部、３…アーム、４…ディスクトレー、５…受けチャッキングプレート、６…チャッキングアーム、７…ディスクカバー、８…駆動側チャッキングプレート、１０…光源、１１…液晶表示体、１２…ディスク、Ｄ…ディスク
【図１】
2005166162.tif 000003
【図２】
2005166162.tif 000004
【図３】
2005166162.tif 000005
【図４】
2005166162.tif 000006
【図５】
2005166162.tif 000007
【図６】
2005166162.tif 000008